(57)【要約】【課題】換気対象室である室の配置や屋外排出口の配置の如何に関わらずダクトの長さを最小限にし、ダクト施工工事を簡単にすることが可能な換気装置および浴室暖房乾燥機を提供する。【解決手段】１つの吹出口７１と複数の吸込口７２〜７６を有する円筒状のケーシング内に換気ファン７７を設け、この換気ファン７７の排出通路に吹出口７１を連通し、ケーシングの側壁の外周面に沿い前記１つの吹出口７１と前記複数の吸込口７２〜７６を並べて形成したことを特徴とする。【選択図】図３
2005030757.tif 000002
【特許請求の範囲】
【請求項１】
１つの吹出口と複数の吸込口を有するケーシング内に換気ファンを設け、
前記換気ファンの排出通路に前記吹出口を連通し、前記吹出口に隣接して少なくとも１つの吸込口を配した換気装置であって、前記ケーシングが略円筒状の側壁を有し、前記側壁の外周面に沿い前記１つの吹出口と前記複数の吸込口を並べて形成したことを特徴とする換気装置。
【請求項２】
ケーシングの側壁の外周面に沿い複数の開口を並べて形成し、換気ファンが前記ケーシング内で回動可能に保持されており、前記換気ファンを回動させてその排出通路を前記開口の１つに連結させたことを特徴とする請求項１に記載の換気装置。
【請求項３】
複数の吸込口の少なくとも１つに風量を調節するダンパを設けたことを特徴とする請求項１に記載の換気装置。
【請求項４】
浴室内の空気を吸入して熱交換した後浴室内に吹き出す浴室暖房部と、１つの吹出口と複数の吸込口を有するケーシング内に換気ファンを設けた換気部とを備え、
前記複数の吸込口の１つが前記浴室暖房部の空気流路に連通しており、前記換気ファンの排出通路に前記吹出口が連通しており、前記吹出口に隣接して少なくとも１つの吸込口が配された浴室暖房乾燥機であって、前記ケーシングが略円筒状の側壁を有し、前記側壁の外周面に沿い前記１つの吹出口と前記複数の吸込口を並べて形成したことを特徴とする浴室暖房乾燥機。
【請求項５】
ケーシングの側壁の外周面に沿い複数の開口を並べて形成し、換気ファンが前記ケーシング内で回動可能に保持されており、前記換気ファンを回動させてその排出通路を前記開口の１つに連結させたことを特徴とする請求項４に記載の浴室暖房乾燥機。
【請求項６】
複数の吸込口の少なくとも１つに風量調節機構を設けたことを特徴とする請求項４に記載の浴室暖房乾燥機。
【請求項７】
浴室暖房部の空気流路に連通した吸込口に風量を調節するダンパを設けたことを特徴とする請求項４または６に記載の浴室暖房乾燥機。
【発明の詳細な説明】
【技術分野】
【０００１】
本発明は、浴室や、脱衣室、洗面所、あるいはトイレなどのいわゆるサニタリーゾーンを換気する換気装置およびそれを利用した浴室暖房乾燥機に関する。
【背景技術】
【０００２】
浴室暖房乾燥機は、浴室内の空気を吸入して熱交換後浴室内に吹き出すことにより浴室を暖房すると共に、吸入した浴室内の湿気を有する空気を室外の空気と入れ替えることにより換気し、洗濯物などを乾燥させる装置である。このような浴室暖房乾燥機としては、暖房部と換気部を一体構成とした一体型と暖房部と換気部を別体として両者を結合させる分離型が知られている。
【０００３】
分離型の浴室暖房乾燥装置として、たとえば、特開２０００−３４６４１５号公報に記載された構成が知られている。その構成によれば、浴室暖房ユニットからの空気を換気装置に吸入する浴室用吸気口、脱衣室やトイレなどの他室の空気を吸入する複数の多室用吸気口を供えたケーシング内に各吸気口から吸入した空気を外部へ排出する換気ファンを設けた構成が開示されている。
【０００４】
図６にその構成の概略を示す。浴室暖房乾燥機の本体１０は送風機１１と熱交換器１２とを内蔵しており、送風機１１で浴室内から吸入した空気を熱交換器１２で熱交換して浴室内に吹き出すことにより浴室内を暖房する。本体１０の側壁には熱交換器１２の下流側に連通口１３が形成され、換気装置１４に連通して浴室内の湿った空気を連通口１３から換気装置１４に供給する。すなわち、連通口１３は換気装置１４の吸込口を構成している。
【０００５】
換気装置１４の連通口１３が形成された面の直角方向の一側壁には複数の吸込口１５、１６が、それに対向する側壁には吹出口１７が設けられている。図示の例では、図面の上方に吹出口１７を、下方に吸込口１８、１９を形成し、空気流が下方から吸入されて上方に吹き出す場合を示したが、この関係を逆にすることもできる。これは換気装置１４の連通口側の側壁を反対側の側壁と交換することによって実現できる。この点を考慮して、吹出口１７は通常側壁の中央部に形成される。
【０００６】
吸込口１５、１６には吸込アダプタ１８、１９が設けられ、各々トイレや脱衣室などの他室と連通されてこれら他室からの空気を換気装置１４の室内に吸入する。吸入された空気は換気装置１４の室内に設けられた換気ファン２０により吹出口１７に導かれ、吹出アダプタ２１に連結された排気ダクト（図示せず）を介して屋外に排気される。
【特許文献１】特開２０００−３４６４１５号公報
【発明の開示】
【発明が解決しようとする課題】
【０００７】
上記従来の換気装置１４においては、複数の吸込口１５、１６は同一側壁に設けられ、それと相対する側壁に吹出口１７が設けられている。したがって、トイレと脱衣室など換気の対象となる室が換気装置から見て同一側にある場合は吸込アダプタ１８、１９に連結される吸込ダクトを同一方向から連結できるので問題はないが、トイレと脱衣室が浴室を挟んで反対側にある場合はダクトの連結が複雑困難になる。
【０００８】
たとえば、図７のように、浴室３１をはさんで一方に脱衣室３２、他方にトイレ３３が配された間取りの場合、換気装置１４の一方の吸込アダプタ１８とトイレ３３の排気口３４をダクト３５で連結し、換気装置１４の他方の吸込アダプタ１９と脱衣室３２の排気口３６をダクト３７で連結し、換気装置１４の吹出アダプタ２１と屋外への排気口３８とをダクト３９で連結する。４０、４１、４２、４３は各室に設けられた自然換気口である。
【０００９】
この場合、吸込アダプタ１９とダクト連結する脱衣室３２の排気口３６は換気装置１４に対して反対側にあるので、図のように長大なダクト３７を大きく引き回さなければならず、しかも、屈曲させなければならない。したがって、ダクト３７の施工工事が大がかりになり、また、ダクトを屈曲させると風量が減少するので、吸気効率が減少する。また、設置後の点検修理は点検口４４から行われるので、ダクト３７が引き回されていると点検修理も困難になる。
【００１０】
本発明はこのような課題を解決するもので、換気対象である室の配置や屋外排出口の配置の如何に関わらずダクトの長さを最小限にし、ダクト施工工事を簡単にすることが可能な換気装置および浴室暖房乾燥機を提供することを目的とするものである。
【００１１】
本発明の他の目的は、換気効率を向上させた換気装置および浴室暖房乾燥機を提供することである。
【課題を解決するための手段】
【００１２】
本発明の換気装置は、上記課題を解決するために、１つの吹出口と複数の吸込口を有するケーシング内に換気ファンを設け、この換気ファンの排出通路に前記吹出口を連通し、前記吹出口に隣接して少なくとも１つの吸込口を配したものである。
【００１３】
また換気装置の他の構成は、上記構成において、ケーシングが少なくとも４面の側壁を有する箱型であり、第１の側壁に吹出口および１つの吸込口を形成し、第１の側壁に相対する第２の側壁に複数の吸込口を形成し、第１および第２の側壁にまたがる第３の側壁に１つの吸込口を形成したものである。
【００１４】
また換気装置の他の構成は、上記構成において、第３の側壁に形成した吸込口が浴室に連通しているものである。
【００１５】
また換気装置の他の構成は、上記構成において、ケーシングが略円筒状の側壁を有し、この側壁の外周面に沿い１つの吹出口と複数の吸込口を並べて形成したものである。
【００１６】
また換気装置の他の構成は、上記構成において、ケーシングが略円筒状の側壁を有し、この側壁の外周面に沿い複数の開口を並べて形成し、換気ファンがケーシング内で回動可能に保持されており、前記換気ファンを回動させてその排出通路を前記開口の１つに連結させたものである。
【００１７】
また換気装置の他の構成は、上記構成において、複数の吸込口の少なくとも１つに風量を調節するダンパを設けたものである。
【００１８】
また換気装置の他の構成は、上記構成において、第３の側壁に形成した吸込口に風量を調節するダンパを設けたものである。
【００１９】
また本発明の浴室暖房乾燥機は、浴室内の空気を吸入して熱交換した後浴室内に吹き出す浴室暖房部と、１つの吹出口と複数の吸込口を有するケーシング内に換気ファンを設けた換気部とを備え、前記複数の吸込口の１つが前記浴室暖房部の空気流路に連通しており、前記換気ファンの排出通路に前記吹出口が連通しており、前記吹出口に隣接して少なくとも１つの吸込口が配されたものである。
【００２０】
また浴室暖房乾燥機の他の構成は、上記構成において、ケーシングが少なくとも４面の側壁を有する箱型であり、第１の側壁に吹出口および１つの吸込口を形成し、前記第１の側壁に相対する第２の側壁に複数の吸込口を形成し、前記第１および第２の側壁にまたがる第３の側壁に浴室暖房部の空気流路に連通する吸込口を形成したものである。
【００２１】
また浴室暖房乾燥機の他の構成は、上記構成において、ケーシングが略円筒状の側壁を有し、この側壁の外周面に沿い１つの吹出口と複数の吸込口を並べて形成したものである。
【００２２】
また浴室暖房乾燥機の他の構成は、上記構成において、ケーシングが略円筒状の側壁を有し、この側壁の外周面に沿い複数の開口を並べて形成し、前記換気ファンが前記ケーシング内で回動可能に保持されており、前記換気ファンを回動させてその排出通路を前記開口の１つに連結させたものである。
【００２３】
また浴室暖房乾燥機の他の構成は、上記構成において、複数の吸込口の少なくとも１つに風量調節機構を設けたものである。
【００２４】
また浴室暖房乾燥機の他の構成は、上記構成において、浴室暖房部の空気流路に連通した吸込口に風量を調節するダンパを設けたものである。
【００２５】
また浴室暖房乾燥機の他の構成は、上記構成において、第３の側壁に形成した吸込口に風量を調節するダンパを設けたものである。
【発明の効果】
【００２６】
以上のように、本発明によれば、換気対象である室の配置や屋外排出口の配置の如何に関わらずダクトの長さを最小限にし、ダクト施工工事を簡単にすることが可能な換気装置および浴室暖房乾燥機を提供することができる。
【００２７】
また、換気装置の換気効率を向上させることもできる。
【００２８】
さらに、浴室暖房機本体と換気装置との連通口に設けたダンパ角度を制御することにより、施工現場の状況に合わせて換気風量を自由に設定することができる。
【発明を実施するための最良の形態】
【００２９】
本発明の換気装置は、ケーシングに形成された吹出口に隣接して少なくとも１つの吸込口を配しているので、吹出口側の方向からの吸入が可能になってダクトの配管工事、特に換気装置の両側に換気対象室がある場合のダクト配管工事が容易になり、しかも換気効率が向上するという作用を有する。
【００３０】
また本発明による換気装置の他の構成は、上記構成において、ケーシングが少なくとも４面の側壁を有する箱型であり、第１の側壁に吹出口および１つの吸込口を形成し、第１の側壁に相対する第２の側壁に複数の吸込口を形成しているので、ダクトの配管工事、特に換気装置の両側に換気対象室がある場合のダクト配管工事が容易になり、しかも換気効率が向上するという作用を有する。
【００３１】
また本発明による換気装置の他の構成は、上記構成において、第３の側壁に形成した吸込口が浴室に連通しているので、ダクトの配管工事、特に浴室の両側に換気対象室がある場合のダクト配管工事が容易になり、しかも換気効率が向上する。
【００３２】
また本発明による換気装置の他の構成は、上記構成において、ケーシングが略円筒状の側壁を有し、この側壁の外周面に沿い１つの吹出口と複数の吸込口を並べて形成しているので、ほぼ全方向からの吸入が可能になり、ダクトの配管工事のフレキシビリティが大幅に向上するという作用を有する。
【００３３】
また本発明による換気装置の他の構成は、上記構成において、ケーシングが略円筒状の側壁を有し、この側壁の外周面に沿い複数の開口を並べて形成し、さらに換気ファンがケーシング内で回動可能に保持されており、この換気ファンを回動させてその排出通路を開口の１つに連結させているので、ほぼ全方向に対して吸入および排気が可能になり、ダクトの配管工事のフレキシビリティが一層向上するという作用を有する。
【００３４】
また本発明による換気装置の他の構成は、上記構成において、吸込口の少なくとも１つに風量を調節するダンパを設けているので、現場のダクト工事にあわせて吸込口の風量を自由に制御することができる。したがって、住宅品質確保促進法の基準を確実に達成することができるという作用を有する。
【００３５】
また本発明による換気装置の他の構成は、上記構成において、第３の側壁に形成した吸込口に風量を調節するダンパを設けているので、現場のダクト工事にあわせて第３の側壁における吸込口の風量を自由に制御することができる。したがって、住宅品質確保促進法の基準を確実に達成することができるという作用を有する。
【００３６】
また本発明の浴室暖房乾燥機は、浴室内の空気を吸入して熱交換した後浴室内に吹き出す浴室暖房部と、１つの吹出口と複数の吸込口を有するケーシング内に換気ファンを設けた換気部とを備え、前記複数の吸込口の１つを浴室暖房部の空気流路に連通させて配し、前記換気ファンの排出通路に吹出口を連通させ、前記吹出口に隣接して少なくとも１つの吸込口を配したので、吹出口側の方向から他の室からの吸入が可能になってダクトの配管工事、特に浴室の両側に換気対象室がある場合のダクト配管工事が容易になり、しかも換気効率が向上するという作用を有する。
【００３７】
また本発明の浴室暖房乾燥機は、上記構成において、ケーシングが少なくとも４面の側壁を有する箱型であり、第１の側壁に吹出口および１つの吸込口を形成し、前記第１の側壁に相対する第２の側壁に複数の吸込口を形成し、前記第１および第２の側壁にまたがる第３の側壁に浴室暖房部の空気流路に連通する吸込口を形成したので、吹出口側の方向から他の室からの吸入が可能になってダクトの配管工事、特に浴室の両側に換気対象室がある場合のダクト配管工事が容易になり、しかも換気効率が向上するという作用を有する。
【００３８】
また本発明の浴室暖房乾燥機は、上記構成において、ケーシングが略円筒状の側壁を有し、この側壁の外周面に沿い１つの吹出口と複数の吸込口を並べて形成したので、ほぼ全方向からの吸入が可能になり、ダクトの配管工事のフレキシビリティが大幅に向上するという作用を有する。
【００３９】
また本発明の浴室暖房乾燥機は、上記構成において、ケーシングが略円筒状の側壁を有し、この側壁の外周面に沿い複数の開口が並べて形成されており、さらに、換気ファンがケーシング内で回動可能に保持されており、この換気ファンを回動させてその排出通路を前記開口の１つに連結させているので、ほぼ全方向に対して吸入および排気が可能になり、ダクトの配管工事のフレキシビリティが一層向上するという作用を有する。
【００４０】
また本発明の浴室暖房乾燥機は、上記構成において、吸込口の少なくとも１つに風量調節機構を設けているので、現場のダクト工事にあわせて吸込口の風量を自由に制御することができる。したがって、住宅品質確保促進法の基準を確実に達成することができるという作用を有する。
【００４１】
また本発明の浴室暖房乾燥機は、上記構成において、浴室暖房部の空気流路に連通した吸込口に風量を調節するダンパを設けているので、現場のダクト工事にあわせて浴室暖房部に連通した吸込口の風量を自由に制御することができる。したがって、住宅品質確保促進法の基準を確実に達成することができるという作用を有する。
【００４２】
また本発明の浴室暖房乾燥機は、上記構成において、第３の側壁に形成した吸込口に風量を調節するダンパを設けているので、現場のダクト工事にあわせて第３の側壁に形成された吸込口の風量を自由に制御することができる。したがって、住宅品質確保促進法の基準を確実に達成することができるという作用を有する。
【００４３】
以下本発明の実施の形態について、図面とともに詳細に説明する。
【００４４】
（実施の形態１）
図１は本発明の実施の形態１における浴室暖房乾燥機の全体構成を示す概略図である。本体５０は内部に送風機５１、熱交換器５２およびそれらの制御部５３が収納されている。これらの浴室暖房乾燥機を機能させる構成要素の詳細は特開平８−１１０１５９号公報、特開平９−７９２号公報などにより周知であるので、詳細な説明は省略する。
【００４５】
本体５０の側壁には熱交換器５２の下流側に連通口５４が形成され、換気装置５５に連結される。換気装置５５は少なくとも４面の側壁を有する箱型のケーシングを有し、その一側壁である第１の側壁５５ａには１つの吹出口５６とそれに隣接して１つまたは複数（図では１つのみ示す）の吸込口５７が設けられている。したがって、吹出口５６の位置は、換気装置５５の側壁の中央部ではなく端に寄った位置に形成される。一方、吹出口５６と吸込口５７が形成された側壁に相対向する側壁（これを第２の側壁５５ｂと称する）には複数の吸込口５８、５９が設けられている。吸込口５７、５８、５９にはそれぞれ吸込アダプタ６１、６２、６３が設けられており、各々ダクトによりトイレ、脱衣室など最寄りの換気対象室の換気口に連結される。一方、吹出口５６には吹出アダプタ６０が設けられており、ダクトにより屋外排気口に連結される。
【００４６】
そして、第１の側壁５５ａおよび第２の側壁５５ｂにまたがる第３の側壁５５ｃには１つの吸込口が形成され、この吸込口は本体５０の連通口５４に連通しており、浴室内の湿った空気は連通口５４から換気装置５５の吸込口を介して換気装置５５に供給される。すなわち、本体５０の連通口５４は換気装置５５の浴室側吸込口として作用する。
【００４７】
また、換気装置５５の内部には換気ファン６４が設けられ、その排出通路は吹出口５６に連結されている。前述したように、吹出口５６の位置は換気装置５５の側壁の中央部ではなく端に寄った位置に形成されているので、換気ファン６４の吹出方向を側壁の中央部に曲げる必要がなく自然な方向に吹き出し可能である。
【００４８】
このような構成によれば、ダクト施工工事は大幅に簡略化することができる。その様子を図１と図２により説明する。
【００４９】
図２は図７と同一の間取りの住宅天井内に図１の構成の浴室暖房乾燥機を設置したときの施工平面図である。図２において、図７と同一部分には同一符号を付している。図１の構成においては吹出口５６が設けられた側壁と同じ側壁に吸込口５７が設けられている。したがって、図２の配置において、脱衣室３２の排気口３６と換気装置５５の吸込口５７をダクト６５で連結すれば、ダクト６５の長さは大幅に短くなり、また屈曲も少ないので施工が大幅に簡略化され、また、吸入効率も向上する。また、点検口４４からの保守点検も容易になる。さらに、吸込口５７と吹出口５６の距離が近いので風量が大きくなり換気効率を向上させることができる。
【００５０】
なお、使用しなかった吸込口５９は封止しておけばよい。
【００５１】
以上のように、本実施の形態１によれば、吸込口５７、５８、５９の吸込方向が２方向であるので、換気対象となる室の配置に応じてどの吸込口を使用すればよいかを臨機応変に設計することができる。したがって、天井裏におけるダクト配管工事を現場の状況に応じて施工することができるので、ダクト配管工事のフレキシビリティが大幅に向上する。
【００５２】
（実施の形態２）
図３は本発明の実施の形態２における浴室暖房乾燥機の全体構成を示す概略図である。本実施の形態２は実施の形態１における箱形の換気装置５５を丸形、すなわち、円筒状の側壁を有するケーシングを有する換気装置７０に置換した構成である。本体５０の構成は実施の形態１における構成と同一であるので説明を省略する。
【００５３】
換気装置７０は略円筒状の側壁の外周に沿って１つの吹出口７１と複数の吸込口７２、７３、７４、７５、７６が設けられる。内部には換気ファン７７が配されており、その排出通路は吹出口７１に連結される。
【００５４】
この実施の形態２によれば、吸込口７２、７３、７４、７５、７６の吸込方向が換気装置７０に対して放射状に形成されているので、ダクト配管方向を全方向的に施工することができる。
【００５５】
（実施の形態３）
図４は本発明の実施の形態３における浴室暖房乾燥機の全体構成を示す概略図である。本実施の形態３は実施の形態２における丸形の換気装置７０の構成において、吹出口の方向を自由に設定可能としたものである。本体５０の構成は実施の形態１における構成と同一であるので説明を省略する。
【００５６】
換気装置８０は略円筒状の側壁の外周に沿って吹出口および吸込口となる複数の開口８１、８２、８３、８４、８５、８６が設けられる。内部には換気ファン８７が配されている。換気ファン８７は略円形のケーシング８８内でその中心軸を中心に円形平面内で回動自在である。（図中の矢印は回転方向を示す）換気ファン８７を略円形のケーシング８８内で回動させ、排出通路８９を開口８１、８２、８３、８４、８５、８６の中のいずれか１つ、たとえば開口８３に一致させて固定すると、その開口８３が換気装置８０の吹出口に設定され、その他の開口８１、８２、８４、８５、８６が吸込口になる。
【００５７】
この実施の形態３によれば、換気装置８０の吹出口および吸込口の方向を全方向的に自由に設定することができるので、設置現場における状況に合わせてその場で自在にダクト配管方向を設定することができる。したがって、ダクト配管工事のフレキシビリティが格段に向上する。
【００５８】
（実施の形態４）
以上の各実施の形態で説明した分離型の浴室暖房乾燥機は、浴室、トイレ、脱衣室およびその他の居室を換気する換気装置としても使用される。この住宅の換気に関して２００１年４月から住宅品質確保促進法が施行されている。それによると、住宅全体で必要な換気量を確保するために、換気装置に対して常時運転により必要な換気量を確保することが求められている。この必要な換気量は、隙間相当面積が２ｃｍ2／ｍ2超の場合は１時間あたり０．３回以上、２ｃｍ2／ｍ2以下の場合は１時間あたり０．４回以上と定められている。この換気量を得るための換気装置における排気量の測定方法と所要排気量の計算方法は日本電機工業会の規格で定められている。
【００５９】
この日本電機工業会の規格とそれを踏まえた本発明の実施の形態４について、図５により説明する。図５において、本体９０の構成は実施の形態１における本体５０の構成と同一であるので説明を省略する。本実施の形態においては、本体９０と換気装置９１との連通口にダンパ９２が設けられている。換気装置９１には１つの吹出口９３と複数の吸込口９４、９５が設けられている。図５には２つの吸込口９４、９５を示したが、図１、３、４のように３つ以上設けても同様である。
【００６０】
日本電機工業会の規格によれば、換気装置９１の排気量の測定は図５におけるダンパ９２がない状態において、吸込口９４、９５に吸込アダプタ９６、９７を介して長さが３０ｃｍのダクト９８、９９を取り付けた状態で本体９０から換気装置９１へ流入する風量、吸込口９４から換気装置９１へ流入する風量および吸込口９５から換気装置９１へ流入する風量（これらの総和が排気量に相当する）を測定するよう定められている。そしてそのときの所要排気量は、総室内容積に応じて所要排気量＝延床面積×室内高×必要換気回数により計算される。たとえば、延床面積が１４０ｍ2、室内高２．４ｍ、必要換気回数が０．４回／時間の場合は所要換気量＝１４０ｍ2×２．４ｍ×０．４回／時間＝１３４．４ｍ3／時間となる。実際の設計では、住宅品質確保促進法では必要換気回数は０．３回／時間以上または０．４回／時間以上であるが一般的に０．５回／時間で計算され、上記の例では所要換気量＝１４０ｍ2×２．４ｍ×０．５回／時間＝１６８ｍ3／時間とされる。これを図５の換気装置９１に適用したときは、たとえば本体９０からの風量、吸込口９４からの風量および吸込口９５からの風量をそれぞれ９０ｍ3／時間：４０ｍ3／時間：４０ｍ3／時間になるように換気ファンのモータ回転数を定めている。
【００６１】
ところが、こうして所要の風量を定めた状態の浴室暖房乾燥機を天井裏に設置する際、実際の間取りや天井空間の様子によってはダクト９８、９９の長さが３０ｃｍでは施工できないことが多い。このためダクト９８、９９の長さを３０ｃｍより長くしたり短くしたりするが、その場合は上述した風量を異ならせないと各室における換気回数のバランスが崩れて必要な換気回数を確保できなくなる。
【００６２】
そこで、本実施の形態４においては、図５に示すように本体９０と換気装置９１との連通口にダンパ９２を設けてダンパ９２の設置角度を制御し、換気ファンの回転数を制御することにより本体９０からの風量を制御し、これにより本体９０からの風量、吸込口９４からの風量および吸込口９５からの風量の比率を異ならせる。
【００６３】
たとえば、ダクト９８、９９の配管により吸込口９４、９５の風量がそれぞれ１０％、低下した場合には、換気ファンのモータ回転数を１０％増加させ、ダンパ９２の角度を変えて本体９０から換気装置９１へ流入する風量を１０％減少させることにより各室における換気回数のバランスをあわせて所望の換気回数を確保することができる。これにより、施工現場の状況に合わせて住宅品質確保促進法で定められた所定の換気回数を確保することができる。
【００６４】
なお、吸込口９４および吸込口９５にもその開口の大きさを変化させる風量調節機構を設ければ、換気装置９１の各吸込口の風量調節は一層きめ細かく行うことができる。
【図面の簡単な説明】
【００６５】
【図１】本発明の第１の実施の形態による浴室暖房乾燥機の構成を示す概略図
【図２】図１の浴室暖房乾燥機を住宅の天井内に施工したときの施工平面図
【図３】本発明の第２の実施の形態による浴室暖房乾燥機の構成を示す概略図
【図４】本発明の第３の実施の形態による浴室暖房乾燥機の構成を示す概略図
【図５】本発明の第４の実施の形態による浴室暖房乾燥機の構成を示す概略図
【図６】従来の浴室暖房乾燥機の構成を示す概略図
【図７】図６の浴室暖房乾燥機を住宅の天井内に施工したときの施工平面図
【符号の説明】
【００６６】
３１    浴室
５４    連通口（吸込口）
５５    換気装置
５５ａ  第１の側壁
５５ｂ  第２の側壁
５５ｃ  第３の側壁
５６    吹出口
５７    吸込口
５８    吸込口
５９    吸込口
６４    換気ファン
７０    換気装置
７１    吹出口
７２    吸込口
７３    吸込口
７４    吸込口
７５    吸込口
７６    吸込口
７７    換気ファン
８０    換気装置
８１    開口
８２    開口
８３    開口
８４    開口
８５    開口
８６    開口
８７    換気ファン
８８    ケーシング
８９    排出通路
９１    換気装置
９２    ダンパ
９３    吹出口
９４    吸込口
９５    吸込口
【図１】
2005030757.tif 000003
【図２】
2005030757.tif 000004
【図３】
2005030757.tif 000005
【図４】
2005030757.tif 000006
【図５】
2005030757.tif 000007
【図６】
2005030757.tif 000008
【図７】
2005030757.tif 000009